(57)【要約】【課題】装着の際に脚を通しやすいトランクスタイプ使い捨て着用物品を提供する。【解決手段】上記課題は、一対の脚筒部３０と、この脚筒部３０に設けられた、脚開口の縁２９に沿って延びる脚周り弾性部材２６，２７とを有するトランクスタイプ使い捨て着用物品において、前身頃Ｆの外装体２０及び後身頃Ｂの外装体２０における、内装体１０の側縁とサイドシール部２１との間に、サイドシール部２１の脚開口ＬＯ側の部分から幅方向の中央側に向かうにつれてウエスト開口ＷＯ側に位置するように延びる斜め方向に収縮したサイド整形領域４０を有し、サイド整形領域４０には、斜め方向に伸縮するサイド整形弾性部材４１が固定され、サイド整形領域４０はサイド整形弾性部材４１とともに斜め方向に収縮しているとともに、斜め方向に伸長可能であることにより解決される。【選択図】図７
2020162830.tif 000002
【特許請求の範囲】
【請求項１】
ウエスト開口及び一対の脚開口を有し、前身頃のウエスト開口の縁から後身頃のウエスト開口の縁にわたる外装体と、この外装体における少なくとも股間部に設けられた、吸収体を含む内装体と、前身頃の外装体の両側部及び後身頃の外装体の両側部を接合するサイドシール部とを有し、
前記外装体の股間部は、前記吸収体の外接矩形よりも幅方向一方側及び他方側にそれぞれ延び出た一対の内腿部分を有し、これら内腿部分を含む、前記脚開口の縁に沿う部分が、腿の付根側を取り囲む一対の脚筒部となっており、
前記脚筒部は、前記脚開口の縁に沿って延びる脚周り弾性部材を有している、
トランクスタイプ使い捨て着用物品において、
前記前身頃の外装体及び前記後身頃の外装体における、前記内装体の側縁と前記サイドシール部との間に、前記サイドシール部の前記脚開口側の部分から幅方向の中央側に向かうにつれてウエスト開口側に位置するように延びる斜め方向に収縮したサイド整形領域を有しており、
前記サイド整形領域には、前記斜め方向に伸縮するサイド整形弾性部材が固定されており、前記サイド整形領域は前記サイド整形弾性部材とともに前記斜め方向に収縮しているとともに、前記斜め方向に伸長可能である、
ことを特徴とするトランクスタイプ使い捨て着用物品。
【請求項２】
前記サイド整形弾性部材はホットメルト接着剤を介して前記サイド整形領域に固定されているとともに、その固定が、前記サイド整形弾性部材の伸長時の張力に抗しきれずに外れて収縮するようになっている、
請求項１記載のトランクスタイプ使い捨て着用物品。
【請求項３】
前記外装体は、複数のシート層が積層された部分であり、
前記複数のシート層は、前記サイド整形弾性部材を有する前後方向の範囲として定まる第１の範囲、前記前身頃の外装体における前記第１の範囲よりも脚開口側に位置する第２の範囲、前記後身頃の外装体における前記第１の範囲よりも脚開口側に位置する第３の範囲、前記第１の範囲よりウエスト開口側に位置する第４の範囲にわたり延びており、
前記サイド整形弾性部材は、一方のサイドシール部から他方のサイドシール部に至るとともに、前記内装体と前記サイドシール部との間の領域で前記斜め方向に通過する部分を有するパターンで前記複数のシート層の間に取り付けられた細長状弾性部材であり、
前記第１の範囲における前記複数のシート層の間には、前記サイド整形弾性部材以外の弾性部材、及びサイド整形弾性部材を固定するためのホットメルト接着剤以外のホットメルト接着剤が設けられておらず、
前記第２の範囲及び第３の範囲における前記複数のシート層の間に、前記脚周り弾性部材がホットメルト接着剤を介して固定されており、
前記第４の範囲における少なくともウエスト部の前記複数のシート層の間に、幅方向に沿う細長状のウエスト弾性部材がホットメルト接着剤を介して固定されている、
請求項２記載のトランクスタイプ使い捨て着用物品。
【請求項４】
前記外装体の股間部に、幅方向に収縮した股間整形領域を有しており、
前記股間整形領域には、幅方向に伸縮する股間整形弾性部材が固定されており、前記股間整形領域は前記股間整形弾性部材とともに幅方向に収縮しているとともに、幅方向に伸長可能である、
請求項１〜３のいずれか１項に記載のトランクスタイプ使い捨て着用物品。
【請求項５】
前記股間整形弾性部材はホットメルト接着剤を介して前記股間整形領域に固定されているとともに、その固定が、前記股間整形弾性部材の伸長時の張力に抗しきれずに外れて収縮するようになっている、
請求項４記載のトランクスタイプ使い捨て着用物品。
【請求項６】
前記外装体は、複数のシート層が積層された部分であり、
前記複数のシート層は、前記サイド整形弾性部材を有する前後方向の範囲として定まる第１の範囲、前記前身頃の外装体における前記第１の範囲よりも脚開口側に位置する第２の範囲、前記後身頃の外装体における前記第１の範囲よりも脚開口側に位置する第３の範囲にわたり延びており、
前記脚周り弾性部材は、前記第２の範囲及び前記第３の範囲に、一方の前記サイドシール部から前記脚開口の縁に沿って幅方向中央に向かい、幅方向中央を横断して他方の前記脚開口に向かい、前記他方の脚開口の縁に沿って他方の前記サイドシール部に至るパターンで前記複数のシート層の間に取り付けられた細長状の弾性部材であり、
前記第２の範囲及び前記第３の範囲のうち、股間部の前後両側における前記複数のシート層の間に、幅方向に沿って前記脚周り弾性部材と交差するように延びる細長状のウエスト下方弾性部材がホットメルト接着剤を介して固定されており、
前記第２の範囲及び前記第３の範囲のうち、前身頃のウエスト下方弾性部材と後側のウエスト下方弾性部材との間には、前記複数のシート層の間に、前記脚周り弾性部材以外の弾性部材、及び前記脚周り弾性部材を固定するためのホットメルト接着剤以外のホットメルト接着剤が設けられておらず、
前記脚周り弾性部材のうち、前身頃のウエスト下方弾性部材と後側のウエスト下方弾性部材との間における前記股間部に位置する部分が、前記股間整形弾性部材となっており、
前記股間整形弾性部材は、幅方向の少なくとも一か所で切断されている、
請求項５記載のトランクスタイプ使い捨て着用物品。
【発明の詳細な説明】
【技術分野】
【０００１】
本発明は、装着の際に脚を通しやすいトランクスタイプ使い捨て着用物品に関する。
【背景技術】
【０００２】
パンツタイプ使い捨ておむつ等のパンツタイプ使い捨て着用物品は、ウエスト開口及び一対の脚開口を有し、前身頃のウエスト開口の縁から後身頃のウエスト開口の縁にわたる外装体と、この外装体における少なくとも股間部に設けられた、吸収体を含む内装体と、前身頃の外装体の両側部及び後身頃の外装体の両側部を接合するサイドシール部とを有する構造が一般的となっている。
【０００３】
また、パンツタイプ使い捨ておむつの一種として、腿の付根側を取り囲む一対の脚筒部を有するトランクスタイプ（一分丈形状又はボクサータイプとも呼ばれる）使い捨ておむつも知られている。脚筒部の構造が簡素なトランクスタイプ使い捨て着用物品としては、外装体の股間部に、吸収体の外接矩形よりも幅方向一方側及び他方側にそれぞれ延び出た一対の内腿部分を有し、これら内腿部分を含む、脚開口の縁に沿う部分が、腿の付根側を取り囲む一対の脚筒部となっているものが知られている（例えば特許文献１〜５参照）。
【０００４】
このようなトランクスタイプ使い捨て着用物品においては、他のタイプのパンツタイプ使い捨ておむつと同様に、身体へのフィット性を向上させるために、外装体に、種々の弾性部材を伸長状態で固定することが行われている。特に、外装体の前後両側に、一方のサイドシール部から脚開口の縁に沿って幅方向中央に向かい、幅方向中央を横断して他方の脚開口に向かい、他方の脚開口に沿って他方のサイドシール部に至るパターンで取り付けられた、前脚周り弾性部材及び後脚周り弾性部材は、トランクスタイプ使い捨て着用物品の脚筒部のフィット性を左右するため重要なものである。
【０００５】
このような前脚周り弾性部材及び後脚周り弾性部材を有するものでは、脚筒部のフィット性に優れるという利点がある。
【０００６】
しかしながら、このようなトランクスタイプ使い捨て着用物品は、装着の際に脚筒部がすぼんでいるとともに、脚筒部の下端開口がウエスト開口から遠いため、脚を通す位置が目視で確認しにくいという問題点を有していた。
【先行技術文献】
【特許文献】
【０００７】
【特許文献１】特開２００６−２３０９２０号公報
【特許文献２】特開２００７−０６１３３５号公報
【特許文献３】特開２０１０−８２１３３号公報
【特許文献４】特開２０１０−２２７５０５号公報
【特許文献５】特許５２０８９６５号公報
【特許文献６】特許４４３９１５０号公報
【発明の概要】
【発明が解決しようとする課題】
【０００８】
そこで本発明の主たる課題は、装着の際に脚を通しやすいトランクスタイプ使い捨て着用物品を提供することにある。
【課題を解決するための手段】
【０００９】
上記課題を解決したトランクスタイプ使い捨て着用物品は以下のとおりである。
＜第１の態様＞
ウエスト開口及び一対の脚開口を有し、前身頃のウエスト開口の縁から後身頃のウエスト開口の縁にわたる外装体と、この外装体における少なくとも股間部に設けられた、吸収体を含む内装体と、前身頃の外装体の両側部及び後身頃の外装体の両側部を接合するサイドシール部とを有し、
前記外装体の股間部は、前記吸収体の外接矩形よりも幅方向一方側及び他方側にそれぞれ延び出た一対の内腿部分を有し、これら内腿部分を含む、前記脚開口の縁に沿う部分が、腿の付根側を取り囲む一対の脚筒部となっており、
前記脚筒部は、前記脚開口の縁に沿って延びる脚周り弾性部材を有している、
トランクスタイプ使い捨て着用物品において、
前記前身頃の外装体及び前記後身頃の外装体における、前記内装体の側縁と前記サイドシール部との間に、前記サイドシール部の前記脚開口側の部分から幅方向の中央側に向かうにつれてウエスト開口側に位置するように延びる斜め方向に収縮したサイド整形領域を有しており、
前記サイド整形領域には、前記斜め方向に伸縮するサイド整形弾性部材が固定されており、前記サイド整形領域は前記サイド整形弾性部材とともに前記斜め方向に収縮しているとともに、前記斜め方向に伸長可能である、
ことを特徴とするトランクスタイプ使い捨て着用物品。
【００１０】
（作用効果）
本トランクスタイプ使い捨て着用物品では、サイド整形領域がサイド整形弾性部材により斜め方向に収縮しているため、自然長の状態では、脚筒部はサイドシール部側ほどウエスト開口側に持ち上がった状態となる。したがって、本トランクスタイプ使い捨て着用物品を装着する際には、着用者がウエスト開口から内部を覗いたときに、脚開口、つまり脚を通す位置を目視で確認しやすいものとなる。
【００１１】
＜第２の態様＞
前記サイド整形弾性部材はホットメルト接着剤を介して前記サイド整形領域に固定されているとともに、その固定が、前記サイド整形弾性部材の伸長時の張力に抗しきれずに外れて収縮するようになっている、
第１の態様のトランクスタイプ使い捨て着用物品。
【００１２】
（作用効果）
サイド整形領域の収縮方向は、身体表面に対して必ずしもフィット性が良好になるものではない。したがって、装着の際に、サイド整形領域とともにサイド整形弾性部材を伸長させることにより、サイド整形弾性部材の固定が外れるようになっていると好ましい。なお、サイド整形弾性部材の固定が外れるとは、サイド整形領域を未伸長の収縮状態から初めてある程度の伸長率（例えば弾性限界）まで伸長させたときに、サイド整形弾性部材の伸長時の張力に抗しきれずに外れる限り、外れたサイド整形弾性部材が自由になることのほか、ある程度収縮（自然長まで収縮することだけでなく、自然長までは達しないが当初より収縮することを含む）した後に、その収縮後の状態で再びホットメルト接着剤の粘着性によりサイド整形領域に固定されることを含む。
【００１３】
＜第３の態様＞
前記外装体は、複数のシート層が積層された部分であり、
前記複数のシート層は、前記サイド整形弾性部材を有する前後方向の範囲として定まる第１の範囲、前記前身頃の外装体における前記第１の範囲よりも脚開口側に位置する第２の範囲、前記後身頃の外装体における前記第１の範囲よりも脚開口側に位置する第３の範囲、前記第１の範囲よりウエスト開口側に位置する第４の範囲にわたり延びており、
前記サイド整形弾性部材は、一方のサイドシール部から他方のサイドシール部に至るとともに、前記内装体と前記サイドシール部との間の領域で前記斜め方向に通過する部分を有するパターンで前記複数のシート層の間に取り付けられた細長状弾性部材であり、
前記第１の範囲における前記複数のシート層の間には、前記サイド整形弾性部材以外の弾性部材、及びサイド整形弾性部材を固定するためのホットメルト接着剤以外のホットメルト接着剤が設けられておらず、
前記第２の範囲及び第３の範囲における前記複数のシート層の間に、前記脚周り弾性部材がホットメルト接着剤を介して固定されており、
前記第４の範囲における少なくともウエスト部の前記複数のシート層の間に、幅方向に沿う細長状のウエスト弾性部材がホットメルト接着剤を介して固定されている、
第２の態様のトランクスタイプ使い捨て着用物品。
【００１４】
（作用効果）
トランクスタイプ使い捨て着用物品の外装体には、そのほぼ全体に弾性部材が取り付けられ、フィット性が確保される。中でも、ウエスト部及び脚筒部のフィット性は非常に重要であることはいうまでもない。一方、外装体に弾性部材を取り付ける場合、外装体を複数のシート層を積層して形成し、そのシート層の間に細長状の弾性部材をホットメルト接着剤を介し固定することが一般的である。ここで、同じシート層の間に位置する弾性部材をホットメルト接着を介してシート層に接着する場合、異なる弾性部材が交差する箇所ではそれぞれの弾性部材を固定するホットメルト接着剤が存在することとなる。したがって、例えばサイド整形弾性部材と他の弾性部材とが交差するとすれば、サイド整形弾性部材のホットメルト接着剤による接着を外れやすくしたとしても、他の弾性部材と交差する箇所では他の弾性部材の固定のためのホットメルト接着剤により、サイド整形弾性部材も固定されてしまう。これでは、サイド整形弾性部材の固定が外れにくくなるおそれがある。これに対して、本態様のように、サイド整形弾性部材を有する前後方向の範囲と、ウエスト弾性部材及び他の弾性部材を有する前後方向の範囲とが重ならない配置を採用することにより、一般的な外装体の構造のままで、ウエスト部及び脚筒部のフィット性を確保しつつ、サイド整形弾性部材の固定のためのホットメルト接着剤のみ接着力を低下させ、サイド整形弾性部材の固定解除が可能となるため好ましい。
【００１５】
＜第４の態様＞
前記外装体の股間部に、幅方向に収縮した股間整形領域を有しており、
前記股間整形領域には、幅方向に伸縮する股間整形弾性部材が固定されており、前記股間整形領域は前記股間整形弾性部材とともに幅方向に収縮しているとともに、幅方向に伸長可能である、
第１〜３のいずれか１つの態様のトランクスタイプ使い捨て着用物品。
【００１６】
（作用効果）
本トランクスタイプ使い捨て着用物品では、股間整形領域が股間整形弾性部材により幅方向に収縮しているため、自然長の状態では、股間幅が狭く収縮し、脚開口の幅が広がった状態となる。したがって、本トランクスタイプ使い捨て着用物品を装着する際には、着用者がウエスト開口から内部を覗いたときに、脚開口、つまり脚を通す位置を目視で確認しやすいものとなる。
【００１７】
＜第５の態様＞
前記股間整形弾性部材はホットメルト接着剤を介して前記股間整形領域に固定されているとともに、その固定が、前記股間整形弾性部材の伸長時の張力に抗しきれずに外れて収縮するようになっている、
第４の態様のトランクスタイプ使い捨て着用物品。
【００１８】
（作用効果）
股間整形領域が幅方向に収縮していることは、身体表面に対して必ずしもフィット性が良好になるものではなく、吸収体も幅方向に収縮し、装着感や吸収性能の低下をもたらすおそれもある。したがって、装着の際に、股間整形領域とともに股間整形弾性部材を伸長させることにより、股間整形弾性部材の固定が外れるようになっていると好ましい。なお、股間整形弾性部材の固定が外れるとは、サイド整形弾性部材の固定が外れるのと同様の意味である。すなわち、股間整形弾性部材の固定が外れるとは、股間整形領域を未伸長の収縮状態から初めてある程度の伸長率（例えば弾性限界）まで伸長させたときに、股間整形弾性部材の伸長時の張力に抗しきれずに外れる限り、外れた股間整形弾性部材が自由になることのほか、ある程度収縮（自然長まで収縮することだけでなく、自然長までは達しないが当初より収縮することを含む）した後に、その収縮後の状態で再びホットメルト接着剤の粘着性により股間整形領域に固定されることを含む。
【００１９】
＜第６の態様＞
前記外装体は、複数のシート層が積層された部分であり、
前記複数のシート層は、前記サイド整形弾性部材を有する前後方向の範囲として定まる第１の範囲、前記前身頃の外装体における前記第１の範囲よりも脚開口側に位置する第２の範囲、前記後身頃の外装体における前記第１の範囲よりも脚開口側に位置する第３の範囲にわたり延びており、
前記脚周り弾性部材は、前記第２の範囲及び前記第３の範囲に、一方の前記サイドシール部から前記脚開口の縁に沿って幅方向中央に向かい、幅方向中央を横断して他方の前記脚開口に向かい、前記他方の脚開口の縁に沿って他方の前記サイドシール部に至るパターンで前記複数のシート層の間に取り付けられた細長状の弾性部材であり、
前記第２の範囲及び前記第３の範囲のうち、股間部の前後両側における前記複数のシート層の間に、幅方向に沿って前記脚周り弾性部材と交差するように延びる細長状のウエスト下方弾性部材がホットメルト接着剤を介して固定されており、
前記第２の範囲及び前記第３の範囲のうち、前身頃のウエスト下方弾性部材と後側のウエスト下方弾性部材との間には、前記複数のシート層の間に、前記脚周り弾性部材以外の弾性部材、及び前記脚周り弾性部材を固定するためのホットメルト接着剤以外のホットメルト接着剤が設けられておらず、
前記脚周り弾性部材のうち、前身頃のウエスト下方弾性部材と後側のウエスト下方弾性部材との間における前記股間部に位置する部分が、前記股間整形弾性部材となっており、
前記股間整形弾性部材は、幅方向の少なくとも一か所で切断されている、
第５の態様のトランクスタイプ使い捨て着用物品。
【００２０】
（作用効果）
股間整形弾性部材は、専用の弾性部材を外装体に取り付けることもできるが、本態様のように脚周り弾性部材を設ける場合、これを利用し、通常は切断等により伸縮性を殺す部分を股間整形弾性部材として残しておくのは好ましい。しかし、股間整形弾性部材の固定を外れるようにするために、脚周り弾性部材の固定用のホットメルト接着剤を外れやすくすると、脚周り弾性部材の脚開口に沿う部分まで固定が外れ、脚筒部の伸縮性が低下又は消失するおそれがある。これに対して、本態様のように、股間整形弾性部材を幅方向の少なくとも一か所で切断しておくことにより、股間整形弾性部材を含む脚周り弾性部材全体の固定が外れると、股間整形弾性部材はサイドシール部側へ向かって収縮することができる。ここで、脚開口の前後両側で、脚周り弾性部材とウエスト下方弾性部材とをあえて交差させておくと、股間整形弾性部材を含む脚周り弾性部材全体の固定が外れたとしても、脚周り弾性部材のうち、ウエスト下方弾性部材と交差する部分、つまり脚開口の前後両側に位置する部分は、ウエスト下方弾性部材の固定用のホットメルト接着剤により固定され、伸縮性が維持されることとなる。
【発明の効果】
【００２１】
本発明によれば、装着の際に脚を通しやすいトランクスタイプ使い捨て着用物品となる、等の利点がもたらされる。
【図面の簡単な説明】
【００２２】
【図１】展開状態のトランクスタイプ使い捨ておむつの平面図（内面側）である。
【図２】展開状態のトランクスタイプ使い捨ておむつの平面図（外面側）である。
【図３】内装体の平面図である。
【図４】図１の４−４断面図である。
【図５】図１の２−２断面図である。
【図６】図１の３−３断面図である。
【図７】（ａ）製造時の状態、（ｂ）自然長の製品状態、（ｃ）装着状態を概略的に示すトランクスタイプ使い捨ておむつの正面図である。
【図８】弾性部材のカットパターンを示す平面図である。
【図９】接着剤塗布パターンを示す平面図である。
【図１０】図２の要部拡大平面図である。
【図１１】他の例の要部拡大平面図である。
【図１２】他の例の要部拡大平面図である。
【図１３】展開状態のトランクスタイプ使い捨ておむつの平面図（外面側）である。
【図１４】接着剤塗布パターンを示す平面図である。
【図１５】展開状態のトランクスタイプ使い捨ておむつの平面図（外面側）である。
【図１６】展開状態のトランクスタイプ使い捨ておむつの平面図（外面側）である。
【図１７】展開状態のトランクスタイプ使い捨ておむつの要部拡大平面図である。
【発明を実施するための形態】
【００２３】
以下、トランクスタイプ使い捨て着用物品の一例として、トランクスタイプ使い捨ておむつについて、添付図面を参照しつつ詳説する。なお、図中の点模様部分はその表側及び裏側に位置する各構成部材を接合する接合手段としてのホットメルト接着剤を示している。ホットメルト接着剤は、スロット塗布、連続線状又は点線状のビード塗布、スパイラル状、Ｚ状等のスプレー塗布、又はパターンコート（凸版方式でのホットメルト接着剤の転写）等、公知の手法により塗布することができる。これに代えて又はこれとともに、弾性部材の固定部分では、ホットメルト接着剤を弾性部材の外周面に塗布し、弾性部材を隣接部材に固定することができる。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００２４】
図１〜図１０はトランクスタイプ使い捨ておむつを示している。このトランクスタイプ使い捨ておむつ（以下、単におむつともいう。）は、ウエスト開口及び一対の脚開口を有し、前身頃Ｆのウエスト開口の縁から後身頃Ｂのウエスト開口の縁にわたる外装体２０と、この外装体２０における少なくとも股間部２８に設けられた、吸収体１３を含む内装体１０と、前身頃Ｆの外装体２０の両側部及び後身頃Ｂの外装体２０の両側部を接合するサイドシール部２１とを有するものである。また、外装体２０の股間部２８は、吸収体１３の外接矩形（展開状態の平面視で吸収体１３に外接する仮想矩形を意味し、本例では、吸収体１３の外接矩形の一方の対辺は内装体１０の両側縁にほぼ等しい）よりも幅方向一方側及び他方側にそれぞれ延び出た一対の内腿部分３１を有し、これら内腿部分３１を含む、脚開口の縁２９に沿う部分が、腿の付根側を取り囲む一対の脚筒部３０となっている。製造に際しては、外装体２０に対して内装体１０がホットメルト接着剤などの接合手段によって接合された後に、内装体１０及び外装体２０が前身頃Ｆ及び後身頃Ｂの境界である前後方向（縦方向）中央で折り畳まれ、その両側部が相互に熱溶着又はホットメルト接着剤などによって接合されてサイドシール部２１が形成されることによって、ウエスト開口及び一対の脚開口が形成されたトランクスタイプ使い捨ておむつとなる。
【００２５】
（内装体）
内装体１０は、図３〜図６に示すように、不織布などからなる液透過性のトップシート１１と、ポリエチレン等からなる液不透過性シート１２との間に、吸収体１３を介在させた構造を有しており、トップシート１１を透過した排泄液を吸収保持するものである。内装体１０の平面形状は特に限定されないが、図示例のようにほぼ長方形とすることが一般的である。
【００２６】
吸収体１３の表側を覆い、肌当接面を形成するトップシート１１としては、有孔又は無孔の不織布や多孔性プラスチックシートなどが好適に用いられる。図示例では、トップシート１１は、吸収体１３の側縁部を巻き込んで吸収体１３の裏面側まで延在しているが、これに限定されるものではない。
【００２７】
吸収体１３の裏側を覆う液不透過性シート１２は、ポリエチレン又はポリプロピレンなどの液不透過性プラスチックシートが用いられるが、近年はムレ防止の点から透湿性を有するものが好適に用いられる。この遮水・透湿性シートとしては、例えばポリエチレンやポリプロピレン等のオレフィン樹脂中に無機充填材を溶融混練してシートを形成した後、一軸又は二軸方向に延伸することにより得られる微多孔性シートを挙げることができる。図示例では、液不透過性シート１２は、トップシート１１とともに吸収体１３の幅方向両側で裏側に折り返されているが、これに限定されるものではない。
【００２８】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができる。この吸収体１３は、形状及びポリマー保持等のため、必要に応じてクレープ紙等の、液透過性及び液保持性を有する包装シート１４によって包装することができる。
【００２９】
吸収体１３の全体形状は、股間部２８を含む前後方向範囲にその前後両側よりも幅の狭い括れ部１３Ｎを有するほぼ砂時計状に形成されているが、長方形状等、適宜の意形状とすることができる。括れ部１３Ｎの寸法は適宜定めることができるが、括れ部１３Ｎの前後方向長さはおむつ全長Ｙの２０〜５０％程度とすることができ、その最も狭い部分１３ｍの幅は吸収体１３の全幅の４０〜６０％程度とすることができる。このような括れ部１３Ｎを有する場合において、内装体１０の平面形状がほぼ長方形とされていると、内装体１０における吸収体１３の括れ部１３Ｎと対応する部分に、吸収体１３を有しない余り部分が形成される。
【００３０】
図１、図３〜図５に示すように、吸収体１３における幅方向中間部に、前後方向に延びる拡散溝１７を有していると、尿の前後方向の拡散性が向上するため好ましい。尿の拡散性の観点から、拡散溝は、一方の脚開口の縁と他方の脚開口の縁との間の領域である中間領域よりも前後両側に延びていると好ましい。拡散溝１７は、幅方向中央に一本のみとしてもよいが、幅方向に間隔を空けて二本設けることもできる。拡散溝１７は、図示例では直線状に延びているが、曲線状に延びていても良い。
【００３１】
拡散溝１７は図示例のように吸収体１３を厚み方向に貫通するスリットであることが好ましいが、吸収体１３の表裏少なくとも一方側に設けられた、厚み方向に貫通しない凹部であっても良い。吸収体１３に凹部を形成する場合、凹部の形成位置の目付けを周囲よりも減らすことにより形成するほか、凹部の形成位置をエンボス加工により圧縮して形成することもできる。
【００３２】
拡散溝形成領域は、吸収体１３の幅方向中間部に設けられる限り、その位置は限定されないが、通常は幅方向中央が望ましく、その幅（一本の場合は拡散溝の幅１７ｄ）は吸収体１３の全幅１３ｗの５〜２０％とすることが望ましい。また、拡散溝１７の前後方向長さ１７Ｌは適宜定めることができ、例えば吸収体１３の全長の３０〜７０％程度とすることができる。
【００３３】
内装体１０の両側部には脚周りにフィットする起き上がりギャザーＢＳが形成されている。この起き上がりギャザーＢＳは、図５及び図６に示されるように、内装体１０の裏面の側部に固定された固定部と、この固定部から内装体１０の側方を経て内装体１０の表面の側部まで延在する本体部と、本体部の前後端部が倒伏状態で内装体１０の表面の側部に固定されて形成された倒伏部分と、この倒伏部分間が非固定とされて形成された自由部分とが、折返しによって二重としたギャザーシート１５により形成されている。ギャザーシート１５としては、シリコーン系、パラフィン金属系、アルキルクロミッククロイド系撥水剤などをコーティングした撥水処理不織布が好適に用いられる。
【００３４】
また、二重のギャザーシート１５の間には、自由部分の先端部等に細長状のギャザー弾性部材１６が配設されている。ギャザー弾性部材１６は、製品状態において図５に二点鎖線で示すように、弾性伸縮力により自由部分を起立させて起き上がりギャザーＢＳを形成するためのものである。
【００３５】
ギャザー弾性部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコーン、ポリエステル等の素材を用いることができる。また、外側から見え難くするため、太さは９２５ｄｔｅｘ以下、伸長率は１５０〜３５０％、間隔は１０．０ｍｍ以下として配設するのがよい。なお、ギャザー弾性部材１６としては、図示例のような糸状の他、ある程度の幅を有するテープ状のものを用いることもできる。
【００３６】
（外装体）
外装体２０には、図４にも示されるように、伸縮性を有する付与するための各種弾性部材２４〜２７が配設されており、少なくとも弾性部材を有する領域（図示例は全領域）は複数のシート層を有しており、これらシート層の間に弾性部材２４〜２７が挟まれている。複数のシート層は、各一枚のシート材により形成するほか、一枚のシート材を折り返して形成することもできる。図示例の外装体２０は、第１シート２０Ａ及び第２シート２０Ｂからなる２層構造とされ、第１シート２０Ａと第２シート２０Ｂとの間、及び第２シート２０Ｂをウエスト開口縁で内面側に折り返してなる折り返し部分２０Ｃのシート間に各種弾性部材２４〜２７が配設され、伸縮性が付与されている。第１シート２０Ａ及び第２シート２０Ｂは、それぞれ不織布等で形成することができる。
【００３７】
外装体２０は、前後方向ＬＤの中間が括れたほぼ砂時計形状となっており、この括れの両側縁がそれぞれ脚開口の縁２９となっている。そして、前述のとおり、外装体２０の股間部２８には、吸収体１３の外接矩形よりも幅方向ＷＤの一方側及び他方側にそれぞれ延び出た一対の内腿部分３１を有し、これら内腿部分３１を含む、脚開口の縁２９に沿う部分が、腿の付根側を取り囲む一対の脚筒部３０となる。内腿部分３１の寸法は脚筒部３０の長さに応じて適宜定めれば良いが、通常の場合、外装体２０の最も幅の狭い部分における内腿部分３１の幅３１ｘは、おむつ全長のＹの１〜５％程度とすることが好ましい。また、図１７に示すように、前身頃Ｆにおいては、脚開口の縁２９上の最も幅方向中央側に位置する仮想点Ｐ１から、幅方向に対して２０度の角度θ1で、幅方向外側かつウエスト側に向かう仮想直線Ｌ１を引いたとき、この仮想直線Ｌ１と、サイドシール部２１を有する前後方向範囲における外装体２０の側縁との交点Ｐ２を有するのが好ましく、この交点Ｐ２から脚開口の縁２９までの前後方向間隔３０ｆは、外装体２０の最も幅の狭い部分における内腿部分３１の幅３１ｘ以上であることが好ましく、ほぼ同じであることが好ましい。一方、後身頃Ｂにおいては、脚開口の縁２９上の最も幅方向中央側に位置する仮想点Ｐ１から、幅方向に対して３０度の角度θ2で、幅方向外側かつウエスト側に向かう仮想直線Ｌ２を引いたとき、この仮想直線Ｌ２と、サイドシール部２１を有する前後方向範囲における外装体２０の側縁との交点Ｐ３を有するのが好ましく、この交点Ｐ３から脚開口の縁２９までの前後方向間隔３０ｂは、外装体２０の最も幅の狭い部分における内腿部分３１の幅３１ｘ以下であっても、以上であってもよい。
【００３８】
図示例の外装体２０では、前身頃Ｆ及び後身頃Ｂのそれぞれにおいて、ウエスト開口近傍２３に幅方向ＷＤに沿って配置されたウエスト弾性部材２４と、ウエスト弾性部材２４より脚開口側に幅方向ＷＤに沿って配置されたウエスト下方弾性部材２５と、一方のサイドシール部２１から脚開口の縁２９に沿って幅方向ＷＤ中央に向かい、幅方向ＷＤ中央を横断して他方の脚開口に向かい、他方の脚開口の縁２９に沿って他方のサイドシール部２１に至るパターンで湾曲しつつ延在する、互いに交差することなく間隔をおいて配置された複数本の前脚周り弾性部材２７及び後脚周り弾性部材２６を備えている。これら、弾性部材２４〜２７は、それぞれその延在方向に沿って所定の伸長率で伸長された状態で固定され、固定時の伸長状態と自然長状態との間で外装体２０とともに伸縮するようになっている。なお、これら前脚周り弾性部材２７及び後脚周り弾性部材２６に代えて、又はこれとともに、脚開口の縁２９に沿って前身頃Ｆのサイドシール部２１から後身頃Ｂのサイドシール部２１まで連続する、脚周り弾性部材を設けることもできる。
【００３９】
ウエスト弾性部材２４は、前身頃Ｆと後身頃Ｂとが接合されたサイドシール部２１の前後方向範囲のうち、ウエスト開口近傍２３に縦方向に間隔をおいて配置された複数本の糸ゴム等の細長状弾性部材であり、おむつのウエスト開口の近傍２３を締め付けてフィットさせるためのものである。このウエスト弾性部材２４は、図示例では複数本の糸ゴムを用いたが、これに代えて例えばテープ状の伸縮部材を用いてもよい。また、図示例のウエスト弾性部材２４は、ウエスト部における第２シート２０Ｂの折り返し部分２０Ｃの不織布間に挟持されているが、第１シート２０Ａと第２シート２０Ｂとの間に挟持しても良い。
【００４０】
ウエスト下方弾性部材２５は、サイドシール部２１を有する前後方向範囲のうち、ウエスト弾性部材２４より脚開口側の範囲に、縦方向に間隔をおいて配置された複数本の糸ゴム等の細長状弾性部材であり、おむつの胴周り領域のうちウエスト開口近傍２３を除くほぼ全体を締め付けてフィットさせるためのものである。なお、ウエスト弾性部材２４とウエスト下方弾性部材２５との境界は、弾性部材の太さや伸長率等、伸縮特性が変化する位置にあるか、又は伸縮特性が変化しない場合には内装体１０のウエスト側の縁に位置する。ウエスト下方弾性部材２５は、図示例のように股間部２８には設けないことが望ましく、また、中間領域２２の前後両側には図示例のように設けることもできるが、設けなくてもよい。
【００４１】
後身頃Ｂの外装体２０において、ウエスト下方弾性部材２５とは別に配設された後脚周り弾性部材２６は、糸ゴム等の細長状弾性部材であり、少なくとも一本、好ましくは複数本が後身頃Ｂの脚筒部３０を通る所定の曲線に沿って配置されている。後脚周り弾性部材２６は、一本であっても良いが複数本であるのが好ましく、図示例では５本の糸ゴム等の細長状弾性部材であり、これら後脚周り弾性部材２６は互いに交差することなく、間隔をおいて配置されている。この後脚周り弾性部材２６群は、弾性部材を間隔を密にして実質的に一束として配置されるのではなく、後身頃Ｂの脚筒部３０を含む所定の伸縮ゾーンを形成するように３〜２０ｍｍ、好ましくは６〜１６ｍｍ程度の間隔を空けて、３本以上、好ましくは４本以上配置される。
【００４２】
前身頃Ｆの外装体２０において、ウエスト下方弾性部材２５とは別に配設された前脚周り弾性部材２７は糸ゴム等の細長状弾性部材であり、少なくとも一本、好ましくは複数本が前身頃Ｆの脚筒部３０を通る所定の曲線に沿って配置されている。前脚周り弾性部材２７は、一本であっても良いが複数本であるのが好ましく、図示例では５本の糸ゴム等の細長状弾性部材であり、これら前脚周り弾性部材２７は、互いに交差することなく、間隔をおいて配置されている。この前脚周り弾性部材２７群も、弾性部材を間隔を密にして実質的に一束として配置されるのではなく、前身頃Ｆの脚筒部３０を含む所定の伸縮ゾーンを形成するように３〜２０ｍｍ、好ましくは６〜１６ｍｍ程度の間隔を空けて、３本以上、好ましくは４本以上配置される。前脚周り弾性部材２７の本数は後脚周り弾性部材２６の本数と同じとするのが好ましいが、必要時応じて異なる本数とすることもできる。
【００４３】
前脚周り弾性部材２７及び後脚周り弾性部材２６はその全体が湾曲していなくても良く、部分的に直線状の部分を有していても良い。
【００４４】
前脚周り弾性部材２７及び後脚周り弾性部材２６の取り付け方法としては、例えば特開平４−２８３６３号公報や、特開平１１−３３２９１３号公報記載の技術を採用することができる。
【００４５】
図１０に示すように、前脚周り弾性部材２７及び後脚周り弾性部材２６は、一方の脚開口の縁２９と他方の脚開口の縁２９との間の領域である中間領域２２の幅方向両側で、前脚周り弾性部材２７の一部と、後脚周り弾性部材２６の一部とが交差するパターンで取り付けられていると好ましい。これにより、前脚周り弾性部材２７及び後脚周り弾性部材２６が交差して脚開口に沿って実質的に連続し、脚筒部３０の周方向全体にわたる伸縮性が付加される。前脚周り弾性部材２７及び後脚周り弾性部材２６の交差本数は、図２等に示す例のように前後一本ずつとするほか、図１２に示すようにすべての前脚周り弾性部材２７及び後脚周り弾性部材２６が交差する構造としてもよい。
【００４６】
脚開口の縁２９と最も脚開口の縁２９に近い弾性部材との間隔は適宜定めればよい。通常の場合、前脚周り弾性部材２７及び後脚周り弾性部材２６は、脚開口の縁２９の接線と直交する方向における、脚開口の縁２９と最も脚開口の縁２９に近い弾性部材との間隔２９ｅが１０ｍｍ以上であると好ましく、特に股間部２８では１０〜５０ｍｍであると好ましい。
【００４７】
図８に示すように、ウエスト下方弾性部材２５及び前脚周り弾性部材２７及び後脚周り弾性部材２６は、製造時に外装体２０に対して連続的に固定された後に、内装体接合部１８と重なる部分の一部又は全部が、所定の切断パターンＣＰで細かく切断されて伸縮しない非伸縮領域１９（つまり、図８の切断パターンＣＰと重なる部分）となり、この非伸縮領域１９より側方に延在する部分が伸縮領域（つまり、図８の切断パターンＣＰより側方の、ウエスト下方弾性部材２５及び前脚周り弾性部材２７及び後脚周り弾性部材２６が連続的に残された部分）となっていてもよい。この場合、ウエスト下方弾性部材２５及び前脚周り弾性部材２７及び後脚周り弾性部材２６は、一方側のサイドシール部２１から内装体１０を横切って他方（反対）側のサイドシール部２１まで連続的に設けた後に、内装体接合部１８と重なる部分の一部又は全部が、細かく切断される。これにより、内装体１０（特に吸収体１３）の幅方向の不必要な収縮を防止することができる。
【００４８】
吸収体１３に拡散溝１７を有する場合、図１０〜図１２に示すように、前脚周り弾性部材２７及び後脚周り弾性部材２６の少なくとも一方は、幅方向ＷＤの両側のサイドシール部２１から少なくとも吸収体１３の側部と重なる部分まで連続し、拡散溝１７と重なる部分では切断され、外装体２０における拡散溝１７と重なる部分は非伸縮領域１９となっているのも好ましい。特に、図１１に示す例のように、前脚周り弾性部材２７及び後脚周り弾性部材２６の少なくとも一方は、吸収体１３における側縁と拡散溝１７との間の領域における拡散溝１７側の端部まで連続し、拡散溝１７と重なる部分では切断され、外装体２０における拡散溝１７重なる部分は非伸縮領域１９となっているとより好ましい。装着時、股間部２８では吸収体１３が両脚に挟まれて幅が縮小するが、前脚周り弾性部材２７及び後脚周り弾性部材２６の少なくとも一方が吸収体１３の側部まで延び、かつ拡散溝１７と重なる部分では切断されていると、その弾性部材の収縮力が拡散溝１７を幅方向両側に広げるように作用し、拡散溝１７の潰れが防止される。
【００４９】
弾性部材２４〜２７を切断し非伸縮領域を形成する方法としては、例えば特開２００２−３５０２９号公報、特開２００２−１７８４２８号公報及び特開２００２-２７３８０８号公報記載の技術を採用することができる。もちろん、ウエスト下方弾性部材２５及び前脚周り弾性部材２７及び後脚周り弾性部材２６を切断せずに、内装体１０を横切って連続的に配置することもできる。
【００５０】
弾性部材２４〜２７の固定時の伸長率は適宜定めることができるが、通常の成人用の場合、ウエスト弾性部材２４は１６０〜３２０％程度、ウエスト下方弾性部材２５は１６０〜３２０％程度、前脚周り弾性部材２７及び後脚周り弾性部材２６は２３０〜３５０％程度とすることができる。
【００５１】
ウエスト弾性部材２４、ウエスト下方弾性部材２５及び脚周り弾性部材２６，２７は、第２シートの折り返し部分２０Ｃの間、並びに第１シート２０Ａと第２シート２０Ｂとの間に挟まれるとともに、それらシート２０Ａ，２０Ｂに対してホットメルト接着剤により接着固定されている。ホットメルト接着剤の塗布パターンは適宜定めることができるが、図９に示すように、ウエスト弾性部材２４及びウエスト下方弾性部材２５の固定のためのホットメルト接着剤Ｂ１は、ウエスト弾性部材２４の配置部分及びその近傍、ウエスト下方弾性部材２５の配置部分及びその近傍のみに塗布するのが好ましい。図９は、製造工程におけるホットメルト接着剤Ｂ１の塗布部位を示しており、ウエスト弾性部材２４及びウエスト下方弾性部材２５を両シート２０Ａ，２０Ｂに固定するためのホットメルト接着剤Ｂ１は、実質的に各弾性部材２４，２５の配置部位及びその近傍にのみ塗布されている。このような接着剤の塗布は、外周面に接着剤を塗布したウエスト弾性部材２４及びウエスト下方弾性部材２５を両シート２０Ａ，２０Ｂで挟むことにより実現することができる。
【００５２】
一方、脚周り弾性部材２６，２７を第１シート２０Ａ及び第２シート２０Ｂに固定するためのホットメルト接着剤Ｂ２は、例えば図９に示すように、脚周り弾性部材２６，２７を有する前後方向範囲全体に、幅方向に連続的に塗布するほか、図示しないが脚周り弾性部材２６，２７に沿って階段状に塗布することもできる。
【００５３】
（前後カバーシート）
図１及び図４にも示されるように、外装体２０の内面上に取り付けられた内装体１０の前後端部をカバーし、且つ内装体１０の前後縁からの漏れを防ぐために、前後カバーシート５０，６０が設けられていても良い。図示例について更に詳細に説明すると、前カバーシート５０は、前身頃Ｆ内面のうち折り返し部分２０Ｃの内面から内装体１０の前端部と重なる位置まで幅方向全体にわたり延在しており、後カバーシート６０は、後身頃Ｂ内面のうち折り返し部分２０Ｃの内面から内装体１０の後端部と重なる位置まで幅方向全体にわたり延在している。図示例のように、前後カバーシート５０，６０を別体として取り付けると、素材選択の自由度が高くなる利点があるものの、資材や製造工程が増加する等のデメリットもある。そのため、折り返し部分２０Ｃを、内装体１０と重なる部分まで延在させて、前述のカバーシート５０，６０と同等の部分を形成することもできる。
【００５４】
（内装体接合部）
外装体２０及び内装体１０の接合領域である内装体接合部１８は、内装体１０のほぼ全体にわたり例えば矩形状に設けられていてもよいが、図２及び図１０に示すように、中間領域２２では、幅方向ＷＤの両側における前脚周り弾性部材２７及び後脚周り弾性部材２６の交差位置Ｃ１よりも幅方向ＷＤの中央側にのみ設けられていると好ましい。この場合、中間領域２２で前脚周り弾性部材２７及び後脚周り弾性部材２６が内装体１０とともに伸縮することがないため、前脚周り弾性部材２７及び後脚周り弾性部材２６が交差して脚開口の縁２９に沿って実質的に連続するものでありながら、前脚周り弾性部材２７及び後脚周り弾性部材２６の交差位置Ｃ１を含む部分でフィット性が低下しないものとなる。
【００５５】
内装体接合部１８は、前後方向全体にわたり、幅方向ＷＤの両側における前脚周り弾性部材２７及び後脚周り弾性部材２６の交差位置Ｃ１よりも幅方向ＷＤの中央側にのみ位置する構造としてもよいが、図示例のように中間領域２２よりも前後両側では交差位置Ｃ１よりも幅方向ＷＤの外側まで存在していることが好ましい。
【００５６】
前脚周り弾性部材２７及び後脚周り弾性部材２６による伸縮領域が、幅方向ＷＤの両側における前脚周り弾性部材２７及び後脚周り弾性部材２６の交差位置Ｃ１よりも幅方向ＷＤの中央側まで設けられていると、吸収体１３が幅方向ＷＤに収縮して装着感が悪化する。よって、図示例のように、前脚周り弾性部材２７及び後脚周り弾性部材２６を交差させて連続性を維持しつつ、幅方向ＷＤの両側における前脚周り弾性部材２７及び後脚周り弾性部材２６の交差位置Ｃ１よりも幅方向ＷＤ中央側に、前脚周り弾性部材２７及び後脚周り弾性部材２６が細かく切断された非伸縮領域１９を有しているのは好ましい。
【００５７】
（サイド整形領域）
図１、図２、及び図７等に示すように、前身頃Ｆの外装体２０及び後身頃Ｂの外装体２０における、内装体１０の側縁とサイドシール部２１との間に、サイドシール部２１の脚開口ＬＯ側の部分から幅方向ＷＤの中央側に向かうにつれてウエスト開口ＷＯ側に位置するように延びる斜め方向に収縮したサイド整形領域４０を有していると好ましい。サイド整形領域４０は、斜め方向に伸縮するサイド整形弾性部材４１が固定された部分であり、サイド整形弾性部材４１とともに斜め方向に収縮しているとともに、斜め方向に伸長可能な部分である。サイド整形領域４０がサイド整形弾性部材４１により白抜き矢印で示す斜め方向に収縮していると、図７（ｂ）に示すように、自然長の状態では、脚筒部３０はサイドシール部２１側ほどウエスト開口ＷＯ側に持ち上がった状態となる。したがって、本トランクスタイプ使い捨て着用物品を装着する際には、着用者がウエスト開口ＷＯから内部を覗いたときに、脚開口ＬＯ、つまり脚を通す位置を目視で確認しやすいものとなる。なお、図７（ａ）は幅方向ＷＤに弾性限界まで伸長した状態を示している。
【００５８】
サイド整形弾性部材４１が固定されたサイド整形領域４０は、内装体１０の側縁とサイドシール部２１との間に設けられている限り、その位置は特に限定されるものではないが、例えば図示例のように、サイドシール部２１と脚筒部３０（脚周り弾性部材２６，２７を有する部分）とが交わる部分に隣接する隅部から斜め方向に延びていることが好ましい。また、サイド整形領域４０の伸縮方向（細長状の弾性部材の場合その通過方向）の角度は適宜定めるこができるが、通常の場合、幅方向ＷＤに対する鋭角側交差角θ3が３０度以上の部分を有することが好ましい。特に、このサイド整形領域４０の伸縮方向と幅方向ＷＤとの鋭角側交差角θ3が３０度以上の部分の前後方向ＬＤの長さ４０Ｌが、脚筒部３０の前後方向ＬＤの最大長さの６０〜８０％程度となるように、サイド整形領域４０が斜め方向に延びていることが好ましい。また、サイド整形領域４０の伸縮方向と幅方向ＷＤとの鋭角側交差角θ3が３０度以上の部分の幅方向ＷＤの長さ４０Ｗが、内装体１０の側縁とサイドシール部２１との間隔ＳＦの７０〜９０％程度となるように、サイド整形領域４０が斜め方向に延びていることが好ましい。
【００５９】
サイド整形領域４０をその伸縮方向に弾性限界まで伸ばしたときの伸長率は適宜定めることができるが、例えば２００〜２５０％であると好ましい。
【００６０】
サイド整形弾性部材４１は、糸状、帯状等の細長状の弾性部材であっても、網状やフィルム状の弾性部材であってもよい。これらの弾性部材を前述の斜め方向に伸長した状態で外装体２０のサイド整形領域４０に取り付けることにより、サイド整形領域４０がサイド整形弾性部材４１とともに伸縮するようになる。例えば、サイド整形弾性部材４１が細長状の弾性部材である場合、図示例のように、一方のサイドシール部２１から他方のサイドシール部２１に至るとともに、内装体１０と前記サイドシール部２１との間の領域で前記斜め方向に通過する部分を有するパターンで外装体２０の複数のシート層（図示例では第１シート２０Ａ及び第２シート２０Ｂ）の間にホットメルト接着剤Ｂ２を介して固定することができる。サイド整形弾性部材４１を固定するためのホットメルト接着剤Ｂ２の塗布パターンは適宜定めることができるが、脚周り弾性部材２６，２７と同様、すなわち図９に示すように、サイド整形弾性部材４１を有する前後方向ＬＤ範囲全体に、幅方向ＷＤに連続的に塗布するほか、図示しないが斜め方向に延びる部分については階段状に塗布することもできる。
【００６１】
サイド整形弾性部材４１は、図１３に示すように、製造時に外装体２０に対して連続的に固定された後に、内装体接合部１８と重なる部分の一部又は全部が、所定の切断パターンＣＰで細かく切断されて伸縮しない非伸縮領域１９となり、この非伸縮領域１９より側方に延在する部分が、サイド整形領域４０を含む伸縮領域となっていてもよい。また、図２に示すように、このような切断がなされておらず、サイド整形用弾性部材が連続していてもよい。
【００６２】
サイド整形領域４０の収縮方向は、身体表面に対して必ずしもフィット性が良好になるものではない。したがって、装着の際に、サイド整形領域４０とともにサイド整形弾性部材４１をある程度、例えば図７（ｃ）に示す装着状態と同程度まで伸長させることにより、図１５や図１６に示す例のように、サイド整形弾性部材４１の固定がサイド整形弾性部材４１の伸長時の張力に抗しきれずに外れて、図１５及び図１６に示すようにサイド整形弾性部材４１が収縮するようになっていると好ましい。このような構造は、サイド整形弾性部材４１を固定するためのホットメルト接着剤Ｂ２，Ｂ３の塗布量を少なくしたり、これとともに又はこれに代えてホットメルト接着剤Ｂ２，Ｂ３の種類を接着力の弱いものに変更したりすることにより実現できる。これとともに、サイド整形弾性部材４１の伸長率を通常よりも高く、例えば３２０〜３５０％程度とするのも好ましい。
【００６３】
なお、図２に示す例のように、同じシート層の間に位置するサイド整形弾性部材４１とウエスト下方弾性部材２５とが交差する場合、図９に示すように、サイド整形弾性部材４１のホットメルト接着剤Ｂ２による接着を外れやすくしたとしても、ウエスト下方弾性部材２５と交差する箇所ではウエスト下方弾性部材２５の固定のためのホットメルト接着剤Ｂ１により、サイド整形弾性部材４１も固定されてしまう。これでは、サイド整形弾性部材４１の固定が外れにくくなるおそれがある。そこで、サイド整形弾性部材４１の固定が確実に外れるようにするために、図１３及び図１４に示す配置が提案される。
【００６４】
すなわち、図１３及び図１４に示す例では、サイド整形弾性部材４１を有する前後方向ＬＤの範囲を第１の範囲Ａ１とし、前身頃Ｆの外装体２０における第１の範囲Ａ１よりも脚開口ＬＯ側を第２の範囲Ａ２とし、後身頃Ｂの外装体２０における第１の範囲Ａ１よりも脚開口ＬＯ側を第３の範囲Ａ３とし、第１の範囲Ａ１よりウエスト開口ＷＯ側を第４の範囲Ａ４としたとき、第１の範囲Ａ１における複数のシート層の間には、サイド整形弾性部材４１以外の弾性部材、及びサイド整形弾性部材４１を固定するためのホットメルト接着剤Ｂ３以外のホットメルト接着剤Ｂ１，Ｂ２が設けられていない。そして、第２の範囲Ａ２及び第３の範囲Ａ３における複数のシート層の間に、脚周り弾性部材２６，２７がホットメルト接着剤Ｂ２を介して固定されており、第４の範囲Ａ４における少なくともウエスト部の複数のシート層の間に、幅方向ＷＤに沿う細長状のウエスト弾性部材２４がホットメルト接着剤Ｂ１を介して固定されている。
【００６５】
このように、サイド整形弾性部材４１を有する前後方向ＬＤの範囲と、ウエスト弾性部材２４及び脚周り弾性部材２６，２７を有する前後方向ＬＤの範囲とが重ならない配置を採用するとともに、サイド整形弾性部材４１を切断することにより、一般的な外装体２０の構造のままで、ウエスト部及び脚筒部３０のフィット性を確保しつつ、サイド整形弾性部材４１の固定のためのホットメルト接着剤のみ接着力を低下させ、サイド整形弾性部材４１の固定解除が可能となる。
【００６６】
サイド整形弾性部材４１の両端部が、サイド整形弾性部材４１の固定のためのホットメルト接着剤以外の手段、例えばサイドシール部２１で固定されていると、ホットメルト接着によるサイド整形弾性部材４１の固定を外すことができない。よって、図１３に示すように、サイドシール部２１におけるサイド整形弾性部材４１の通過位置に、非接合部２１ｃを設けてもよい。これとともに又はこれに代えて、サイド整形弾性部材４１をその長さ方向の少なくとも一か所で切断してもよい。この切断は、図示例のように、前述の非伸縮領域１９を形成するための切断であってもよい。いずれにせよ、これらの手法により、ホットメルト接着剤Ｂ３の固定が外れたサイド整形弾性部材４１は、図１５に示すようにその長さ方向の両側から中央側に収縮するか、又は図１６に示すように長さ方向の一方側から他方側に収縮することができる。
【００６７】
（股間整形領域）
図２及び図７等に示すように、本トランクスタイプ使い捨ておむつでは、外装体２０の股間部２８に、幅方向ＷＤに収縮した股間整形領域４５を有していると好ましい。股間整形領域４５は、幅方向ＷＤに伸縮する股間整形弾性部材４６が固定された部分であり、股間整形弾性部材４６とともに幅方向ＷＤに収縮しているとともに、幅方向ＷＤに伸長可能な部分である。股間整形領域４５が股間整形弾性部材４６により幅方向ＷＤに収縮しているため、自然長の状態では、図７（ｂ）に示すように股間幅が狭く収縮し、脚開口ＬＯの幅が広がった状態となる。したがって、本トランクスタイプ使い捨て着用物品を装着する際には、着用者がウエスト開口ＷＯから内部を覗いたときに、脚開口ＬＯ、つまり脚を通す位置を目視で確認しやすいものとなる。
【００６８】
股間整形領域４５は、股間部２８に設けられている限り、その位置は特に限定されるものではない。また、股間整形領域４５の伸縮方向（細長状の弾性部材の場合その通過方向）と幅方向ＷＤとの鋭角側交差角θ4が３０度以下となる部分の幅方向ＷＤの長さ（図１０に示す例のように複数ある場合は総和）が、外装体２０の最も幅の狭い部分の幅の１２０〜１４０％程度となるように、股間整形領域４５が幅方向に延びていることが好ましい。
【００６９】
股間整形領域４５をその幅方向に弾性限界まで伸ばしたときの伸長率は適宜定めることができるが、例えば２００〜２５０％であると好ましい。
【００７０】
股間整形弾性部材４６は、糸状、帯状等の細長状の弾性部材であっても、網状やフィルム状の弾性部材であってもよい。これらの弾性部材を幅方向ＷＤに伸長した状態で外装体２０の股間整形領域４５に取り付けることにより、股間整形領域４５が股間整形弾性部材４６とともに伸縮するようになる。例えば、図示例のように、脚周り弾性部材２６，２７のうち股間部２８に位置する部分が、股間整形弾性部材４６となっている（通常は切断等により伸縮性を殺す部分を股間整形弾性部材４６として残しておく）のは好ましいが、別途、専用の弾性部材を取り付けてもよい。股間整形弾性部材４６は、サイド整形弾性部材４１と同様に、外装体２０の複数のシート層（図示例では第１シート２０Ａ及び第２シート２０Ｂ）の間にホットメルト接着剤Ｂ２を介して固定することができる。
【００７１】
股間整形弾性部材４６は、図８、図１０、図１１等に示すように、製造時に外装体２０に対して連続的に固定された後に、内装体接合部１８と重なる部分の一部又は全部が、所定の切断パターンＣＰで細かく切断されて伸縮しない非伸縮領域１９となり、この非伸縮領域１９より側方に延在する部分が、股間整形領域４５を含む伸縮領域となっていてもよい。また、このような切断がなされておらず、図１２に示すように、股間整形弾性部材４６が幅方向ＷＤに連続していてもよい。
【００７２】
股間整形領域４５が幅方向ＷＤに収縮していることは、身体表面に対して必ずしもフィット性が良好になるものではなく、吸収体１３も幅方向ＷＤに収縮し、装着感や吸収性能の低下をもたらすおそれもある。したがって、装着の際に、股間整形領域４５とともに股間整形弾性部材４６をある程度、例えば図７（ｃ）に示す装着状態と同程度まで伸長させることにより、股間整形弾性部材４６の固定が股間整形弾性部材４６の伸長時の張力に抗しきれずに外れて、図１５に示すように股間整形弾性部材４６が収縮するようになっていると好ましい。このような構造は、股間整形弾性部材４６（脚周り弾性部材２６，２７）を固定するためのホットメルト接着剤Ｂ２の塗布量を少なくしたり、これとともに又はこれに代えてホットメルト接着剤Ｂ２の種類を接着力の弱いものに変更したりすることにより実現できる。もちろん、図１６に示す例のように、サイド整形弾性部材４１の固定のみが外れ、股間整形弾性部材４６の固定は外れないようになっているのも好ましい。
【００７３】
脚周り弾性部材２６，２７の一部が股間整形弾性部材４６である場合、股間整形弾性部材４６の固定を外れるようにするために、脚周り弾性部材２６，２７の固定用のホットメルト接着剤Ｂ２を外れやすくすると、脚周り弾性部材２６，２７の脚開口ＬＯに沿う部分まで固定が外れ、脚筒部３０の伸縮性が低下又は消失するおそれがある。そこで、図１３〜図１５に示す構造も提案される。
【００７４】
すなわち、同図に示す例では、サイド整形弾性部材４１を有する前後方向ＬＤの範囲を第１の範囲Ａ１とし、前身頃Ｆの外装体２０における第１の範囲Ａ１よりも脚開口ＬＯ側を第２の範囲Ａ２とし、後身頃Ｂの外装体２０における第１の範囲Ａ１よりも脚開口ＬＯ側を第３の範囲Ａ３としたとき、第２の範囲Ａ２及び第３の範囲Ａ３に脚周り弾性部材２６，２７が設けられるとともに、第２の範囲Ａ２及び第３の範囲Ａ３のうち、股間部２８の前後両側における複数のシート層の間に、幅方向ＷＤに沿って脚周り弾性部材２６，２７と交差するように延びる細長状のウエスト下方弾性部材２５がホットメルト接着剤Ｂ１を介して固定されている。また、第２の範囲Ａ２及び第３の範囲Ａ３のうち、前身頃Ｆのウエスト下方弾性部材２５と後側のウエスト下方弾性部材２５との間には、複数のシート層の間に、脚周り弾性部材２６，２７以外の弾性部材、及び脚周り弾性部材２６，２７を固定するためのホットメルト接着剤Ｂ２以外のホットメルト接着剤Ｂ１，Ｂ３が設けられていない。そして、脚周り弾性部材２６，２７のうち、前身頃Ｆのウエスト下方弾性部材２５と後側のウエスト下方弾性部材２５との間における股間部２８に位置する部分が、股間整形弾性部材４６となっており、この股間整形弾性部材４６は、幅方向ＷＤの少なくとも一か所で切断されている。この切断は、図示例のように、前述の非伸縮領域１９を形成するための切断であってもよい。
【００７５】
このように、股間整形弾性部材４６を幅方向ＷＤの少なくとも一か所で切断しておくことにより、股間整形弾性部材４６を含む脚周り弾性部材２６，２７全体の固定が外れると、図１５に示すように股間整形弾性部材４６はサイドシール部２１側へ向かって収縮することができる。ここで、脚開口ＬＯの前後両側で、脚周り弾性部材２６，２７とウエスト下方弾性部材２５とをあえて交差させておくと、股間整形弾性部材４６を含む脚周り弾性部材２６，２７全体の固定が外れたとしても、脚周り弾性部材２６，２７のうち、ウエスト下方弾性部材２５と交差する部分、つまり脚開口ＬＯの前後両側に位置する部分は、ウエスト下方弾性部材２５の固定用のホットメルト接着剤により固定され、伸縮性が維持されることとなる。
【００７６】
（不織布）
上記説明における不織布としては、部位や目的に応じて公知の不織布を適宜使用することができる。不織布の構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も用いることができる。
【００７７】
＜明細書中の用語の説明＞
明細書中の以下の用語は、明細書中に特に記載が無い限り、以下の意味を有するものである。
・「前後方向」とは図中に符号ＬＤで示す方向（縦方向）を意味し、「幅方向」とは図中にＷＤで示す方向（左右方向）を意味し、前後方向と幅方向とは直交するものである。
・「前身頃」「後身頃」は、使い捨ておむつの前後方向中央を境としてそれぞれ前側及び後側の部分を意味する。
・「股間部」は、装着者の股間に位置するようになる部分を意味し、通常の場合、図１７に示すように前後方向中央を含む、展開状態における脚開口の縁２９の接線と前後方向とのなす鋭角側交差角が４５°以下となる前後方向範囲を意味する。
・「曲線」とは、直線を含まない意味である。
・「伸長率」は、自然長を１００％としたときの値を意味する。例えば、伸長率が２００％とは、伸長倍率が２倍であることと同義である。例えば、伸長率が２００％とは、伸長倍率が２倍であることと同義である。
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ・１００ｍｍ)を使用し、１００ｍｍ・１００ｍｍの寸法の試料を切り取る。試料の重量を測定し、１００倍して１平米あたりの重さを算出し、目付けとする。
・吸収体の「厚み」は、株式会社尾崎製作所の厚み測定器（ピーコック、ダイヤルシックネスゲージ大型タイプ、型式Ｊ−Ｂ（測定範囲０〜３５ｍｍ）又は型式Ｋ−４（測定範囲０〜５０ｍｍ））を用い、試料と厚み測定器を水平にして、測定する。
・上記以外の「厚み」は、自動厚み測定器（ＫＥＳ−Ｇ５  ハンディ圧縮計測プログラム）を用い、荷重：１０ｇｆ／ｃｍ2、及び加圧面積：２ｃｍ2の条件下で自動測定する。
・「展開状態」とは、収縮や弛み無く平坦に展開した状態を意味する。
・各部の寸法、位置関係は、特に記載が無い限り、自然長状態ではなく展開状態における寸法を意味する。
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【００７８】
本発明は、上記例のトランクスタイプ使い捨ておむつ、トランクスタイプ生理用品等、トランクスタイプ使い捨て着用物品に利用できるものである。
【符号の説明】
【００７９】
Ａ１…第１の範囲、Ａ２…第２の範囲、Ａ３…第３の範囲、Ａ４…第４の範囲、Ｂ…後身頃、ＢＳ…起き上がりギャザー、Ｃ１…交差位置、Ｆ…前身頃、ＬＤ…前後方向、ＬＯ…脚開口、ＷＯ…ウエスト開口、１０…内装体、１１…トップシート、１２…液不透過性シート、１３…吸収体、１３Ｎ…括れ部、１４…包装シート、１５…ギャザーシート、１６…ギャザー弾性部材、１７…拡散溝、１８…内装体接合部、１９…非伸縮領域、２０…外装体、２０Ｃ…折り返し部分、２１…サイドシール部、２２…中間領域、２４…ウエスト弾性部材、２６，２７…脚周り弾性部材、２６…後脚周り弾性部材、２７…前脚周り弾性部材、２８…股間部、２９…脚開口の縁、３１…内腿部分、４０…サイド整形領域、４１…サイド整形弾性部材、４５…股間整形領域、４６…股間整形弾性部材、３０…脚筒部。
【図１】
2020162830.tif 000003
【図２】
2020162830.tif 000004
【図３】
2020162830.tif 000005
【図４】
2020162830.tif 000006
【図５】
2020162830.tif 000007
【図６】
2020162830.tif 000008
【図７】
2020162830.tif 000009
【図８】
2020162830.tif 000010
【図９】
2020162830.tif 000011
【図１０】
2020162830.tif 000012
【図１１】
2020162830.tif 000013
【図１２】
2020162830.tif 000014
【図１３】
2020162830.tif 000015
【図１４】
2020162830.tif 000016
【図１５】
2020162830.tif 000017
【図１６】
2020162830.tif 000018
【図１７】
2020162830.tif 000019